(57)【要約】【課題】様々なレンズユニットを装着して撮影を行う場合も機械式シャッターの走行方向における露光ムラを低減する。【解決手段】レンズユニットを装着するマウントと、前記レンズユニットを通過して入射した光を電荷として蓄積する撮像センサーと、電荷の蓄積を開始する走査を前記撮像センサーの位置ごとに順次行う露光制御手段と、前記撮像センサーへ入射する光を遮光するように走行する機械式シャッターと、前記走査を行うタイミングを前記位置ごとに定めた走査制御情報であって前記レンズユニットに対応する前記走査制御情報を外部記録媒体から取得して内部記録媒体に保存する走査制御情報取得手段と、前記内部記録媒体に保存された前記走査制御情報に基づいて前記走査を行わせ、当該走査に続いて前記光を前記機械式シャッターに遮光させることによって撮影を行う撮影制御手段と、を備える。【選択図】図１
2014160897.tif 000002
【特許請求の範囲】
【請求項１】
レンズユニットを装着するマウントと、
前記レンズユニットを通過して入射した光を電荷として蓄積する撮像センサーと、
前記電荷の蓄積を開始する走査を前記撮像センサーの位置ごとに順次行う露光制御手段と、
前記撮像センサーへ入射する前記光を遮光するように走行する機械式シャッターと、
前記走査を行うタイミングを前記位置ごとに定めた走査制御情報であって前記レンズユニットに対応する前記走査制御情報を外部記録媒体から取得して内部記録媒体に保存する走査制御情報取得手段と、
前記内部記録媒体に保存された前記走査制御情報に基づいて前記走査を行わせ、当該走査に続いて前記光を前記機械式シャッターに遮光させることによって撮影を行う撮影制御手段と、
を備える撮影装置。
【請求項２】
前記レンズユニットの指定を受け付ける受付手段を備え、
前記撮影制御手段は、指定された前記レンズユニットに対応する前記走査制御情報に基づいて前記走査を行わせる、
請求項１に記載の撮影装置。
【請求項３】
前記走査制御情報は、前記レンズユニットのマウント名と前記レンズユニットの焦点距離との組み合わせごとに定義されており、
前記受付手段は、前記レンズユニットのマウント名の選択肢と前記レンズユニットの焦点距離の選択肢とを案内し、前記選択肢の中から選択された前記レンズユニットのマウント名と前記レンズユニットの焦点距離とを受け付け、
前記撮影制御手段は、選択された前記レンズユニットのマウント名と前記レンズユニットの焦点距離との組み合わせに対応する前記走査制御情報に基づいて前記走査を行わせる、
請求項２に記載の撮影装置。
【請求項４】
前記受付手段において、前記レンズユニットの焦点距離の選択肢は、基準となる距離以下の焦点距離は当該距離より長い焦点距離よりも小さい単位で選択可能に案内する、
請求項３に記載の撮影装置。
【請求項５】
前記受付手段は、前記レンズユニットのマウント名および前記レンズユニットの焦点距離の選択を受け付けた後、選択された前記マウント名および前記焦点距離の組み合わせに対応する前記走査制御情報が前記内部記録媒体に保存されていないと判断した場合、選択された前記マウント名に対応する前記走査制御情報のうち対応する前記焦点距離が選択された前記焦点距離に近い前記走査制御情報を予め規定された条件によって抽出し、抽出された前記走査制御情報を選択肢として案内する、
請求項３または請求項４に記載の撮影装置。
【請求項６】
前記レンズユニットに入射する被写体からの反射光の輝度分布が均一な状態で当該被写体を前記撮影制御手段が複数種類の前記走査制御情報を用いて複数回撮影した結果得られた複数の画像データを取得し、当該複数の画像データの前記露光制御手段による走査方向における位置ごとの輝度値をそれぞれ取得し、前記走査方向における前記画像データの中央部を基準にして前記輝度値の分布が前記複数の画像データのうち最も対称に近い前記画像データを撮影した際に用いられた前記走査制御情報を選定する選定手段を備える、
請求項１〜請求項５のいずれかに記載の撮影装置。
【請求項７】
レンズユニットを装着するマウントと、
前記レンズユニットを通過して入射した光を電荷として蓄積する撮像センサーと、
前記電荷の蓄積を開始する走査を前記撮像センサーの位置ごとに順次行う露光制御手段と、
前記撮像センサーへ入射する前記光を遮光するように走行する機械式シャッターと、を備える撮影装置の制御方法であって、
前記走査を行うタイミングを前記位置ごとに定めた走査制御情報であって前記レンズユニットに対応する前記走査制御情報を外部記録媒体から取得して内部記録媒体に保存する走査制御情報取得工程と、
前記内部記録媒体に保存された前記走査制御情報に基づいて前記走査を行わせ、当該走査に続いて前記光を前記機械式シャッターに遮光させることによって撮影を行う撮影制御工程と、
を含む撮影装置の制御方法。
【請求項８】
レンズユニットを装着するマウントと、
前記レンズユニットを通過して入射した光を電荷として蓄積する撮像センサーと、
前記電荷の蓄積を開始する走査を前記撮像センサーの位置ごとに順次行う露光制御手段と、
前記撮像センサーへ入射する前記光を遮光するように走行する機械式シャッターと、を備える撮影装置の制御プログラムであって、
前記走査を行うタイミングを前記位置ごとに定めた走査制御情報であって前記レンズユニットに対応する前記走査制御情報を外部記録媒体から取得して内部記録媒体に保存する走査制御情報取得機能と、
前記内部記録媒体に保存された前記走査制御情報に基づいて前記走査を行わせ、当該走査に続いて前記光を前記機械式シャッターに遮光させることによって撮影を行う撮影制御機能と、
を撮影装置に実現させる撮影装置の制御プログラム。
【発明の詳細な説明】
【技術分野】
【０００１】
本発明は、撮影装置、撮影装置の制御方法、撮影装置の制御プログラムに関する。
【背景技術】
【０００２】
従来、電子シャッターにより電荷の蓄積を開始し機械式シャッターにより光を遮って電荷の蓄積を終了するデジタルカメラが知られている。先幕としての電子シャッターは後幕としての機械式シャッターの走行に先行して撮像センサーの画素を領域毎にリセットする。機械式シャッターによって遮光されるまでに撮像センサーに蓄積された電荷は、撮像センサーに入射する光が機械式シャッターに遮られている期間中に読み出される。ここで各画素の露光時間は、ある画素がリセット解除されてからその画素に入射する光を機械式シャッターが遮るまでの時間となる。各画素の露光時間が領域によって異なると所謂露光ムラが生じる。したがって各画素の露光時間を一定にするため、先幕としての電子シャッターによって電荷の蓄積が開始されるタイミングを機械式シャッターの走行特性に対応させる必要がある。
さらに、特許文献１に記載されているように、機械式シャッターの走行特性が一定であっても、焦点距離、射出瞳距離、フォーカス時のレンズ操り出し量、絞りの開口径、レンズのシフト量やティルト量等が異なれば各画素に入射する光を機械式シャッターが遮るタイミングが異なることが知られている。
【先行技術文献】
【特許文献】
【０００３】
【特許文献１】特許第４９７４５９６号
【発明の概要】
【発明が解決しようとする課題】
【０００４】
特許文献１には、先幕としての電子シャッターによって電荷の蓄積を開始するタイミングを領域毎に制御する情報である走査パターンを光学ユニットの特性に対応付けてデジタルカメラに複数保存しておくことが記載されている。撮影時には光学ユニットの特性を光学ユニットから取得し、デジタルカメラに保存された走査パターンのうち光学ユニットの特性に対応する操作パターンが選択され使用される。しかし、特許文献１の構成では、カメラ本体との通信機能を持たない光学ユニットを使用する場合には、カメラ側は光学ユニットの特性を把握できないため光学ユニットの特性に対応する走行パターンを選択できない。
本発明は、上記課題に鑑みてなされたもので、様々なレンズユニットを装着して撮影を行う場合も機械式シャッターの走行方向における露光ムラを低減することを目的とする。
【課題を解決するための手段】
【０００５】
上記目的を達成するための撮影装置は、マウントと、撮像センサーと、露光制御手段と、機械式シャッターと、走査制御情報取得手段と、撮影制御手段と、を備える。マウントは、交換式のレンズユニットを撮影装置本体に装着するための機構である。撮像センサーは、レンズユニットを通過して入射した光を受光し電荷として蓄積する。露光制御手段は、電荷蓄積を開始する走査を撮像センサーの位置ごとに順次行う。機械式シャッターは、撮像センサーへ入射する光を遮光するように走行する。走査制御情報取得手段は、走査を行うタイミングを位置ごとに定めた走査制御情報であってレンズユニットに対応する走査制御情報を外部記録媒体から取得して内部記録媒体に保存する。撮影制御手段は、内部記録媒体に保存されたレンズユニットに対応する走査制御情報に基づいて走査を行わせ、当該走査に続いて前記光を機械式シャッターに遮光させることによって撮影を行う。
ここで、露光制御手段の制御によって電子先幕が実現される。また機械式シャッターによって機械式後幕が実現される。この電子先幕と機械式後幕とによって撮像センサーに対し、必要な秒時の露光をさせることで撮影を行う。この際の電子先幕動作の走査制御を行うためのタイミング情報が走査制御情報である。
【０００６】
本発明の撮影装置は上記の構成を備えているため、対応する走査制御情報が撮影装置に予め保存されていない種類のレンズユニットが装着された場合にも外部記録媒体から当該レンズユニットに対応する走査制御情報を取得し、電荷蓄積を開始する走査を行う際に適用することができる。その結果、撮像センサーにおいて、電荷蓄積を開始してから機械式シャッターによって遮光されるまでの時間（露光時間）や光の量が撮像センサーの位置ごとに異なることによって生じる露光ムラを抑制することができる。
【０００７】
撮像センサーに投影される機械式シャッターの影の位置は、焦点距離や射出瞳距離やレンズの構成等のレンズユニットの特性によって異なる。機械式シャッターの走行パターンが一定であったとしても、マウントに装着されたレンズユニットの特性に応じて、撮像センサーの受光面に投影される機械式シャッターの影の先端部の走行パターンは機械式シャッターの走行パターンと一致しない。また、撮像センサーが受光する光の量の特性も異なる。撮像センサーの各領域の露光時間を一定にし、電子先幕・機械式後幕のシャッター動作での撮像センサーの各領域の露光特性を同一にするためには、機械式シャッターの影の先端部の走行パターンに近似するようなパターンで機械式シャッターによる遮光に先行して電荷蓄積を開始させる必要がある。走査制御情報は、撮像センサーの各領域の露光時間がほぼ一定となるように各領域における電荷蓄積の開始タイミングを定めた情報であり、装着されたレンズユニットの特性に応じて変化する遮光領域（機械式シャッターによって遮光される領域）の先端の走行パターンに近似するように各領域における電荷蓄積の開始タイミングを定めた情報である。なお撮像センサーの受光面に投影される機械式シャッターの影の先端部の輪郭は鮮明ではないが、グラデーションする影の先端部に含まれる特定の一ラインを機械式シャッターによって遮光される遮光領域の先端とみなして以降では説明を行う。なお遮光領域の先端の走行パターンは、例えば、レンズユニットの射出瞳距離（レンズユニットの射出瞳位置から撮像センサーの受光面までの距離）、焦点距離（ズーム位置）、絞りの開口径、フォーカス繰り出し量等に応じて異なりうる。レンズユニットに応じた走査制御情報は、遮光領域の先端の走行パターンが変化しうるこれらの要因にさらに応じて、それらの要因の組み合わせごとに走査制御情報が定義されていてもよい。
【０００８】
ここで、走査制御情報取得手段は、撮影装置の外部からレンズユニットに対応する走査制御情報を取得して内部記録媒体に保存することができればよく、どのような態様で走査制御情報を取得することができてもよい。外部記録媒体は、撮影装置に直接装着されるメモリーカード等であってもよいし、撮影装置と有線通信または無線通信などによって接続されるコンピューターが備える記録媒体であってもよい。
【０００９】
レンズユニットからレンズユニットの属性を取得し当該属性に応じた走査制御情報を撮影装置内に保存されている走査制御情報の中から選択して撮影を行う構成では、撮影装置の発売時期より以前に発売されたレンズユニットには対応可能であるが、撮影装置の発売時期より以後に発売されたレンズユニットには対応できない可能性がある。例えば撮影装置より後に発売されたレンズユニットに対応する走査制御情報が撮影装置内に保存できていない場合は当該レンズユニットに最適な走査制御情報を用いて撮影することができない。しかし本発明の場合は撮影装置の発売後に発売されたレンズユニットにも対応可能である。また撮影装置の発売以前に発売されたレンズユニットについても、サードパーティ社製の様々なレンズユニットに対応する走査制御情報を全て撮影装置に保存することは現実的ではない。しかし本発明の場合は、ユーザーが使用するレンズユニットの走査制御情報をユーザーが選択して撮影装置に保存できるため、合理的である。
【００１０】
さらに、上記目的を達成するための撮影装置において、レンズユニットの指定を受け付ける受付手段を備えてもよい。この場合、撮影制御手段は、指定されたレンズユニットに対応する走査制御情報に基づいて電荷蓄積開始の走査を行わせる。
使用するレンズユニットの指定を受け付ける手段を備えることにより、例えばレンズユニット側が撮影装置と通信する機能を備えていない場合にユーザーが手動で指定したレンズユニットの種類に対応する走査制御情報を適用して走査を行うことができる。なお、遮光領域の先端の走行パターンが変化しうる要因についての指定をさらに受け付けることができてもよく、その場合、撮影制御手段は、それらの要因の組み合わせに対応する走査制御情報を撮影の際に適用してもよい。
【００１１】
さらに、上記目的を達成するための撮影装置において、走査制御情報は、レンズユニットのマウント名とレンズユニットの焦点距離との組み合わせごとに定義されていてもよい。その場合に受付手段は、レンズユニットのマウント名の選択肢とレンズユニットの焦点距離の選択肢とを案内し、選択肢の中から選択されたレンズユニットのマウント名とレンズユニットの焦点距離とを受け付ける。撮影制御手段は、選択されたレンズユニットのマウント名とレンズユニットの焦点距離との組み合わせに対応する走査制御情報に基づいて電荷蓄積開始の走査を行わせる。
【００１２】
焦点距離が同じレンズユニットであってもレンズ群の構成が異なることにより、射出瞳距離が異なる場合がある。また、撮影装置のマウントとは異なり焦点距離が同じレンズユニットを、アダプターを用いて装着する場合でも射出瞳距離が同程度の場合もあるし，異なる場合もある。しかし、使用するレンズユニットのマウント名とレンズユニットの焦点距離との組み合わせが同じであれば、射出瞳距離が大幅には異ならない場合がありえる。そのため、マウント名と焦点距離の組み合わせごとに走査制御情報を定義しておき、ユーザーからは当該組み合わせを指定させることで、当該組み合わせに対応する走査制御情報を選択し撮影時に適用することができる。その場合、極端に大きな露光ムラが発生する可能性は低く、比較的誤差の少ない範囲で撮像センサーの位置ごとの露光時間の誤差を少なくできる可能性がある。レンズユニットの射出瞳距離は一般に公表されるケースが少ないためユーザーは容易に知ることはできないが、レンズユニットのマウント名と焦点距離であればユーザーが容易に知りうる情報であるため、これらの組み合わせをユーザーに指定させることは、直接的に射出瞳距離をユーザーに選択させることよりユーザーにとって便利である。
【００１３】
さらに、上記目的を達成するための撮影装置において、受付手段におけるレンズユニットの焦点距離の選択肢は、基準となる距離以下の焦点距離は当該距離より長い焦点距離よりも小さい単位で選択可能に案内するようにしてもよい。なお、基準となる距離は複数定義されてもよい。
焦点距離が短い場合は長い場合よりも撮像センサーの位置ごとの露光時間の誤差が大きくなる傾向にある。そのため、焦点距離が基準となる距離以下の場合は、当該距離よりも長い場合よりも小さい単位で選択可能に案内することにより、各焦点距離に対応したより適切な走査制御情報を適用して電荷蓄積開始の走査を行うことができる。
【００１４】
さらに、上記目的を達成するための撮影装置において、受付手段は、レンズユニットのマウント名およびレンズユニットの焦点距離の選択を受け付けた後、選択されたマウント名および焦点距離の組み合わせに対応する走査制御情報が内部記録媒体に保存されていないと判断した場合、選択されたマウント名に対応する走査制御情報のうち対応する焦点距離が選択された焦点距離に近い走査制御情報を予め規定された条件によって抽出し、抽出された走査制御情報を選択肢として案内するようにしてもよい。予め規定された条件によって抽出される走査制御情報としては例えば、ユーザーが選択した焦点距離に最も近い焦点距離に対応する走査制御情報であってもよい。また例えば、ユーザーが選択した焦点距離に近い順に予め決められた所定個の走査制御情報であってもよい。また例えば、ユーザーが選択した焦点距離を基準にして所定距離以内の焦点距離に対応する走査制御情報であってもよい。
【００１５】
受付手段がこのように案内することにより、同じマウントで焦点距離が近いレンズユニットの走査制御情報を選択して走査の際に適用することができる。マウント名と焦点距離の組み合わせに該当する走査制御情報が内部記録媒体に保存されていない場合に、焦点距離が同じであっても異なるマウントのレンズユニットに対応する走査制御情報が適用される場合や、同じマウントであってもユーザーが選択した焦点距離と大きく異なる焦点距離のレンズユニットに対応する走査制御情報が適用される場合と比較すると、本構成ではより適した走査制御情報を適用して電荷蓄積開始の走査を行うことができる。
【００１６】
さらに、上記目的を達成するための撮影装置は、次のような選定手段を備えてもよい。本構成における選定手段は、レンズユニットに入射する被写体からの反射光の輝度分布が均一な状態で当該被写体を撮影制御手段が複数種類の走査制御情報を用いて複数回撮影した結果得られた複数の画像データを取得し、当該複数の画像データの露光制御手段による走査方向における位置ごとの輝度値をそれぞれ取得し、走査方向における画像データの中央部を基準にして輝度値の分布が複数の画像データのうち最も対称に近い画像データを撮影した際に用いられた走査制御情報を選定する。
【００１７】
このような選定手段を備えることにより、内部記録媒体に保存されている複数の走査制御情報の中から、使用しているレンズユニットに最適な走査制御情報を選定することができる。機械式シャッターの走行特性は撮影装置の個体によって僅かに違いがある可能性がある。また、同一の撮影装置の機械式シャッターであっても走行特性は経年変化する可能性がある。そのような場合にユーザーが指定したレンズユニットの属性に対応する走査制御情報を適用しても露光ムラの発生を十分に抑制できない可能性がある。しかし本構成のような選定手段を備えることにより、内部記録媒体に保存されている複数の走査制御情報の中から最適な走査制御情報を選択して撮影時に適用することができる。
【００１８】
さらに、本発明のように、レンズユニットに対応する走査制御情報を外部記録媒体から取得して内部記録媒体に保存し、内部記録媒体に保存された走査制御情報に基づいて撮像センサーの電荷の蓄積を開始する走査を行わせる手法は、プログラムや方法の発明としても成立する。また、以上のような装置、プログラム、方法は、単独の装置として実現される場合もあれば、複合的な機能を有する装置において共有の部品を利用して実現される場合もあり、各種の態様を含むものである。
【図面の簡単な説明】
【００１９】
【図１】撮影装置の構成を示すブロック図。
【図２】撮像センサーを示す模式図。
【図３】（３Ａ）および（３Ｂ）は機械式シャッターの位置と露光終了位置との関係を説明するための模式図。
【図４】（４Ａ）および（４Ｂ）は機械式シャッターの走行パターンと遮光領域の走行パターンと電荷蓄積開始走査の走査パターンを示す図。
【図５】第一実施形態にかかる走査制御情報を示す図。
【図６】第一実施形態にかかるレンズプロファイル登録画面を示す図。
【図７】第一実施形態にかかる使用レンズ設定画面を示す図。
【図８】（８Ａ）および（８Ｂ）は第二実施形態にかかる走査制御情報を示す図。
【図９】第二実施形態にかかるレンズプロファイル候補選択画面を示す図。
【図１０】第三実施形態にかかる自動レンズプロファイル選択画面を示す図。
【図１１】（１１Ａ）は第三実施形態にかかる画像撮影を示す模式図、（１１Ｂ）〜（１１Ｄ）は機械式シャッター走行方向における位置ごとの輝度を示す図。
【発明を実施するための形態】
【００２０】
以下、本発明の実施の形態を添付図面を参照しながら説明する。尚、各図において対応する構成要素には同一の符号が付され、重複する説明は省略される。
１．第一実施形態
１−１．撮影装置の構成
図１は本発明の一実施形態にかかる撮影装置１を示している。撮影装置１には、レンズユニット１０、機械式シャッター１３、撮像センサー１４、記憶部１５、表示部２０、外部Ｉ／Ｆ部３０、内部記録媒体３５、操作部４０、フォーカス制御部４３、絞り調整部４５、シャッター制御部５０、露光制御部６０、カメラ制御部７０、画像生成部８０が備えられている。カメラ制御部７０は、所定のプログラムに従って、フォーカス制御部４３、絞り調整部４５、シャッター制御部５０、露光制御部６０、記憶部１５、画像生成部８０、表示部２０、外部Ｉ／Ｆ部３０、内部記録媒体３５、操作部４０の動作を制御する。
【００２１】
レンズユニット１０は、撮像センサー１４に被写体画像を結像させるレンズ１１、絞り１２、鏡筒を備えている。本実施形態においてレンズ１１と絞り１２とは鏡筒内に備えられており、当該鏡筒は撮影装置１本体のマウント１００に交換可能に装着される。本実施形態において、レンズ１１は光軸に平行な方向に沿って並べられた複数枚のレンズ群１１０で構成される。各レンズは外縁部で支持されるとともに、光軸方向に１部又は全部のレンズが移動することでフォーカス調整を行うことができる。また、ズームレンズの場合、光軸方向に１部又は全部のレンズを移動可能とすることで光学的なズーム動作を行うことが可能である。また、絞り１２は複数枚のレンズ群１１０の間に配置される。
【００２２】
撮影装置１本体との通信機能を備え撮影装置１の制御に従ってレンズ１１や絞り１２を駆動することが可能なレンズユニット１０が装着されている場合は、レンズ１１の位置はフォーカス制御部４３によって制御されるように構成されており、当該フォーカス制御部４３がレンズ位置の調整を指示されると、フォーカス制御部４３がレンズ１１を移動させてフォーカス調整する。撮影装置１本体との通信機能を備えていないマニュアル操作専用のレンズユニットが装着されている場合は、レンズユニット１０の鏡筒に設けられた図示しないフォーカスリングをユーザーが回転操作することによってレンズ１１を移動させてフォーカス調整することができる。ズームレンズの場合、ユーザーは当該ズームリングを回転操作することでズーム調整することができる。
【００２３】
また、絞り１２は、例えばレンズ１１の光軸に対して垂直な平面内で回動可能に支持された複数の遮蔽板によって構成され、複数の遮蔽板が連動して回動することによって光軸に対して垂直な平面内で遮蔽されていない部分の面積を変化させることが可能である。撮影装置１との通信機能を備えたレンズユニット１０が装着されている場合は、絞り１２の開口径は絞り調整部４５によって制御されるように構成されており、当該絞り調整部４５が絞り１２の開口径を指示されると、絞り調整部４５が絞り１２を駆動させて当該指示された開口径となるように設定する。マニュアル操作専用のレンズユニット１０が装着されている場合、ユーザーは絞りリングを回転操作することによって絞り１２の開口径を調整することができる。
【００２４】
機械式シャッター１３は機械式のフォーカルプレーン型シャッターであり、撮像センサー１４の撮像センサー面に対して平行な平面板状の遮光部としての開閉式（折り畳み式）の複数の遮光幕を備えている。遮光幕はシャッター制御部５０からの制御信号に応じて光軸に対して垂直な方向に移動するように構成されており、通常は遮光幕が光軸に平行な方向の光路を遮らない状態で保持されている。また、遮光幕が光路を遮らない状態で保持されている状態において、所定のトリガが与えられると当該遮光幕が光路を遮らない状態で保持された状態が解除され、遮光幕は光軸に対して垂直な方向に駆動して複数の羽根が光路を遮る状態となる。また、図１においては、遮光幕の移動方向を破線の矢印Ａmで示している。
【００２５】
撮像センサー１４は、ベイヤー配列されたカラーフィルターと、光量に応じた電荷を光電変換によって画素ごとに蓄積する複数の受光素子（フォトダイオード）とを備えるＣＭＯＳ（Complementary Metal Oxide Semiconductor）イメージセンサーである。むろん、撮像センサーはＣＣＤ（Charge Coupled Device）イメージセンサー等の他のセンサーであってもよい。本実施形態にかかる撮像センサー１４は、露光制御部６０（露光制御手段）がリセット指示を行うことによって受光素子の受光量に対応した蓄積電荷をリセットするリセット動作を行い、リセットの解除と同時に各受光素子での電荷の蓄積を開始することができる。また、露光制御部６０は撮像センサー１４に読出指示を行うことによって受光素子の受光量を示す情報の読出を行うことで電荷の蓄積を終了させることができる。なお、受光素子の読出し前に機械式シャッター１３により撮像センサー１４を遮光することで、被写体像の撮像センサー１４への露光は指定した秒時で中断される。その後撮像センサー１４に読出指示を行う事で、受光素子の受光量を示す情報を読み出すことが出来る。
【００２６】
本実施形態にかかる撮影装置１は、本撮影（記録用の画像撮影）の際には、機械式シャッター１３と撮像センサー１４の電子シャッターとの組み合わせによって露光時間を制御する。すなわち、撮像センサー１４における電子シャッター（リセット動作及びリセット動作の解除）で露光を開始させ、機械式シャッター１３の遮光幕で露光を終了させる電子先幕−機械後幕シャッター方式によって露光時間が制御される。具体的には、電子シャッターによりライン順次で電荷蓄積が開始され、ライン毎の露光時間が、設定されたシャッター速度（＝秒時）となるタイミングで各ラインが遮光されるように機械式シャッター１３による遮光が開始される。なお表示部２０においてライブビュー表示を行うための画像を撮影する際には、電子シャッター方式によって露光時間が制御される。すなわち、先幕も後幕も電子シャッターによって制御される。
【００２７】
表示部２０は、図示しないインターフェース回路、液晶パネルドライバー、液晶パネル、図示しない接眼レンズ等を備えている。本実施形態においては、表示部２０として、撮影対象となる被写体を示す画像を表示してユーザーに撮影前の被写体の様子（ライブビュー）および撮影条件等の情報を把握させるＥＶＦ（Electronic View Finder）と背面液晶部を備えている。本実施形態にかかる撮影装置１はＥＶＦを備えたミラーレスデジタルカメラである。また、表示部２０には各種のメニュー画面を表示しユーザーの設定を受け付けることができる。
【００２８】
外部Ｉ／Ｆ部３０は、外部記録媒体２００と接続することが可能であり、外部Ｉ／Ｆ部３０に外部記録媒体２００が接続された状態で、外部記録媒体２００に対して情報を記録し、また、外部記録媒体２００から情報を読み出すことができる。すなわち、撮影した画像を示す画像データを外部記録媒体２００に記録することができる。また、本実施形態においてはカメラ制御部７０は外部Ｉ／Ｆ部３０を介して走査制御情報を外部記録媒体２００から読み出し、内部記録媒体３５に記録することができる。外部Ｉ／Ｆ部３０は、撮影装置１に装着されたメモリーカードとの通信インターフェースを備えている。また外部Ｉ／Ｆ部３０は、その他にも各種の有線通信（ＵＳＢインターフェース等）または無線通信のインターフェース（ＷｉＦｉインターフェース等）を備えており、外部のＰＣやサーバー等と通信して走査制御情報を取得してもよい。
【００２９】
内部記録媒体３５（フラッシュメモリ等）には、カメラ制御部７０が実行する各種の制御プログラムや、当該制御プログラムが参照するパラメーターなどが保存されている。本実施形態においては、外部記録媒体２００から取得した走査制御情報を保存することができる。なお、記憶部１５は、撮像センサー１４が出力する画像データ（受光素子毎の受光量を示す情報）を一時的に記録しておくメモリである。
【００３０】
画像生成部８０は、撮像センサー１４が出力する画素毎、色毎の受光量情報に対して予め決められた手順によって各種の処理を実行して画像データを生成する回路によって構成されている。画像生成部８０が実行する画像処理には、画素補間処理、色再現処理、フィルター処理、ガンマ補正処理、リサイズ処理等が含まれる。また、画像生成部８０が実行する画像処理には、ＡＥ（Automatic Exposure）処理を行うための評価値とＡＦ（Automatic Focus）処理を行うための評価値とＡＷＢ(Auto White Balance)処理を行うための評価値を出力する処理が含まれる。
【００３１】
すなわち、画像生成部８０は、撮像センサー１４による撮影範囲内に設定された所定の測光エリアに含まれる画素の明るさを評価するための評価値（例えば、輝度の平均値等）を特定し、ＡＥ処理を行うための評価値として出力することが可能である。カメラ制御部７０は、ＡＥ処理を行うための評価値に基づいて絞り調整部４５、シャッター制御部５０、露光制御部６０に制御信号を出力し、適正露出となるように露出を調整する。すなわち、カメラ制御部７０は、操作部４０における指示やデフォルト設定に基づいて画像データを撮影する際の撮影条件を特定し、当該撮影条件通りに各部を設定する機能を備えている。具体的には、カメラ制御部７０が上述のＡＥ処理を行うための評価値に基づいて適正露出となるために必要な撮影条件を特定し、当該撮影条件通りに絞り１２、シャッター速度および機械式シャッター１３の位置が設定されるように、絞り調整部４５、シャッター制御部５０、露光制御部６０に対して制御信号を出力する。なお、適正露出となるための必要な撮影条件は、各種の前提条件（例えば、絞り優先、シャッター速度優先等）において特定可能である。
【００３２】
また、画像生成部８０は、撮像センサー１４による撮影範囲内に設定された所定の測距エリアに含まれる画素の合焦度合いを評価するための合焦評価値を特定し、ＡＦ処理を行うための評価値として出力することが可能である。カメラ制御部７０は、ＡＦ処理を行うための評価値に基づいてフォーカス制御部４３に制御信号を出力し、合焦状態となるように調整する。すなわち、カメラ制御部７０は、上述のＡＦ処理を行うための合焦評価値が合焦状態であることを示す所定範囲となるまでフォーカス制御部４３に対して制御信号を出力してレンズ１１の位置を変動させ、合焦状態を実現する。
【００３３】
操作部４０はシャッターボタンと、撮影モードを切り換えるための操作部と、絞りを調整するための操作部と、シャッター速度を切り換えるための操作部と、メニュー画面を表示させるためのメニューボタン、各種の設定メニューを操作するための十字ボタン、ＯＫボタン、キャンセルボタン等の操作部とを備えており、ユーザーは当該操作部４０に対する操作によって撮影装置１に対して各種の指示を与えることができる。
【００３４】
１−２．走査制御情報
図２は、撮像センサー１４をレンズ１１側からレンズ１１の光軸方向に見た模式図である。図２では機械式シャッター１３の図示を省略している。図２に示す矢印Ａmは機械式シャッター１３の走行方向を示している。ｘｙ軸は、撮像センサー１４の画素の位置を示すための座標軸である。ｘ軸は撮像センサー１４の水平ラインに平行であり、ｙ軸は画像の上から下に向かう方向が正方向となるように撮像センサー１４の下から上に向かって正方向がとられている。そして矢印Ａmで示すように、機械式シャッター１３は撮像センサー１４の下から上に向かって走行する。ｙ軸と矢印Ａmは平行である。
【００３５】
先幕に相当するリセット信号は、機械式シャッター１３に先行するように、撮像センサー１４の下から上に向かって順次撮像センサー１４に入力される（リセット動作を行い、リセット動作の解除と同時に電荷蓄積が開始される）。撮像センサー１４の撮像領域ａのうち電荷蓄積領域ｂは、リセット信号が入力されたことによって、記録される画像データの画素値に対応する電荷を蓄積している領域である。電荷蓄積領域ｂは、時間の経過に伴って撮像センサー１４の下から上に向かって拡張していく。このとき、電荷蓄積領域ｂの先端の位置は、走査制御情報に定められたタイミングで１ラインずつ上昇する。遮光領域ｃは、レンズユニット１０を通過した光が機械式シャッター１３によって遮光されている領域である。露光領域ｄは、電荷蓄積中の領域であって、なおかつ機械式シャッター１３によってまだ遮光されていない領域である。露光ムラは各画素の露光時間の不一致によるものであるため、各画素の露光時間が一致するようにリセット信号の印加タイミングが定められている。なお、露光時間は、ある画素にリセット信号が印加されてから、その画素に機械式シャッター１３の影の先端部が到達するまで（当該画素に遮光領域ｃの先端が到達するまで）の期間である。したがって、各画素に遮光領域ｃの先端が到達するタイミングから一定時間前のタイミングにリセット信号が印加されるように、走査制御情報でリセット信号のタイミングを定める必要がある。
【００３６】
図３Ａおよび図３Ｂは、レンズ１１、機械式シャッター１３および撮像センサー１４をｘ軸と平行な方向から見た模式図である。図３Ａおよび図３Ｂにおいて、Ｐａは第一のレンズユニットにおける射出瞳位置を示しており、撮像センサー１４から距離Ｌａ（射出瞳距離Ｌａ）離れた位置にある。Ｐｂは、第一のレンズユニットとは別の第二のレンズユニットにおける射出瞳位置を示しており、撮像センサー１４から距離Ｌｂ（射出瞳距離Ｌｂ）離れた位置にある。射出瞳距離Ｌｂは射出瞳距離Ｌａより長い。図３Ａに示すように、機械式シャッター１３の先端がレンズの光軸を横切るまでは、遮光領域ｃの先端は、機械式シャッター１３自体の先端よりも遅く走行する（Ｙ０＞Ｙａ、Ｙ０＞Ｙｂ）。そして、射出瞳距離の長い第二のレンズユニットのレンズ群を通る光が機械式シャッター１３によって遮られたことによる遮光領域ｃの先端の方が、射出瞳距離の短い第一のレンズユニットのレンズ群を通る光が機械式シャッター１３によって遮られたことによる遮光領域ｃの影の先端よりも速く走行する（Ｙｂ＞Ｙａ）。一方、図３Ｂに示すように機械式シャッター１３の先端がレンズの光軸を横切った後は、遮光領域ｃの先端は、機械式シャッター１３自体の先端よりも速く走行する（Ｙ０＜Ｙａ、Ｙ０＜Ｙｂ）。そして、射出瞳距離の短い第一のレンズユニットのレンズ群を通る光が機械式シャッター１３によって遮られたことによる遮光領域ｃの先端の方が、射出瞳距離の長い第二のレンズユニットのレンズ群を通る光が機械式シャッター１３によって遮られたことによる遮光領域ｃの先端部よりも速く走行する（Ｙａ＞Ｙｂ）。
【００３７】
図４Ａおよび図４Ｂは、機械式シャッター１３の先端の走行パターン１３１と、遮光領域ｃの先端の走行パターン１３２と、露光制御部６０のリセット走査（電荷蓄積開始の走査）の走査パターン１４１との関係を示す図である。図４Ａおよび図４Ｂにおいて、横軸は時間、縦軸は撮像センサー１４の下から上へ向かう方向における位置（ｙ）を示している。図４Ａおよび図４Ｂにおいて１３１は機械式シャッター１３の先端の移動特性を示しており、１３２は遮光領域ｃの先端の移動特性を示しており、１４１は電子先幕の移動特性を示している。図４Ａおよび図４Ｂにおいて時間軸に平行な両矢印が示す時間ΔＴが撮像センサー１４の上中下の各位置での露光時間を示しており、いずれの位置においてもΔＴは均等になる。機械式シャッター１３は図示しないばねによって駆動されるため、機械式シャッター１３が光路を遮らない状態で保持されている状態が解除されると時間と共に速度が大きくなり時間と共に傾きが急峻になる２次曲線のような時間変化特性で機械式シャッター１３の先端部の位置は変化する。機械式シャッター１３が撮像センサー１４の受光面の遮光を開始してから受光面全てを遮光し終えるまでの期間の序盤においては、遮光領域ｃの先端は機械式シャッター１３自体の先端よりも遅く走行し、当該期間の終盤においては、遮光領域ｃの先端は機械式シャッター１３自体の先端よりも速く走行するため、機械式シャッター１３の先端の走行パターン１３１と遮光領域ｃの先端の走行パターン１３２は、図４Ａおよび図４Ｂに示すような関係となる。図４Ａの走行パターン１３２は、射出瞳距離の短い第一のレンズユニットを用いた場合の遮光領域ｃの先端の走行パターンを示しており、図４Ｂの走行パターン１３２は、射出瞳距離の長い第二のレンズユニットを用いた場合の遮光領域ｃの先端の走行パターンを示している。射出瞳距離が長い第二のレンズユニットを用いた場合の方が、射出瞳距離が短い第一のレンズユニットを用いた場合よりも機械式シャッター１３自体の先端の走行パターン１３１とのずれが小さい。
【００３８】
このように遮光領域ｃの先端の走行パターン１３２は、機械式シャッター１３自体の先端の走行パターン１３１と一致しないし、レンズ１１の射出瞳距離に応じても異なる。また、走行パターン１３２は絞り１２の開口径や、レンズ１１の焦点距離や、フォーカス繰り出し量等に応じても異なりうる。露光制御部６０のリセット走査の走査パターン１４１は、このようなレンズユニット１０の特性に応じて変化する走行パターン１３２と同様の形状であるように制御することで撮像センサー１４の各領域における露光時間をほぼ一定に保つことができる。したがって、走査制御情報は、レンズユニット１０の特性に応じて定義される必要がある。
【００３９】
そこで、例えば撮影装置１のメーカーが様々なレンズメーカーの様々な種類のレンズユニット１０を撮影装置１に装着した場合の最適な走査制御情報を予め準備しておく。そして、それらの走査制御情報を含むレンズプロファイルを、例えばインターネット上のサーバーからユーザーがダウンロード可能に公開しておく。最適な走査制御情報とはすなわち、レンズユニット１０に応じた撮影装置１の機械式シャッター１３による遮光領域ｃの先端の走行パターンと同様の形状のパターンでリセット走査を行うように定義された走査制御情報を意味する。
【００４０】
図５は、レンズユニット１０の種類ごとに走査制御情報を含むレンズプロファイルが準備されることを説明するための図である。例えば単焦点レンズの場合（例：Lens01,02,03,04）、レンズユニット一つにつき一つの走査制御情報が準備される。ズームレンズ（例：Lens05,06）の場合は、例えば焦点距離に応じた走査制御情報が準備される。なお、絞りの開口径やフォーカス繰り出し量に応じても射出瞳距離は変化しうるため、さらに絞りの開口径やフォーカス繰り出し量に応じて走査制御情報が準備されてもよい。
【００４１】
１−３．レンズプロファイルの登録
撮影装置１のユーザーは自身が使用したいレンズユニット１０に対応する走査制御情報を含むレンズプロファイルを例えば上述したサーバーからダウンロードし、例えば次のようにして撮影装置１に読み込ませることができる。ユーザーが、ダウンロードしたレンズプロファイルを外部記録媒体２００としてのメモリーカードに保存してメモリーカードを撮影装置１に装着した状態で、ユーザーが撮影装置１の操作部４０を操作して表示部２０にレンズプロファイルの登録メニューを表示させると、カメラ制御部７０は例えば図６の画面Ｇ１０を表示部２０に表示する。なお、走査制御情報を含むレンズプロファイルはユーザーがＰＣ等を利用して作成することや編集することができてもよく、ユーザーが作成・編集した走査制御情報を撮影装置１に登録できてもよい。例えばレンズプロファイルの名前（識別情報）をユーザーが自由に変更できてもよい。走査制御情報自体をユーザーが新規作成したりあるいはダウンロードした走査制御情報を編集したりすることができてもよい。
【００４２】
画面Ｇ１０では、外部記録媒体２００にレンズプロファイルが記録されているレンズユニットの一覧Ｇ１ａが提示される。一覧の中からユーザーがレンズプロファイルを登録したいレンズユニットを十字ボタンを操作して選択しＯＫボタンを押下して決定すると、画面Ｇ１１をカメラ制御部７０は表示部２０に表示し、外部記録媒体２００からユーザーが選択したレンズユニットに対応するレンズプロファイルを読み出して内部記録媒体３５に保存する。例えばユーザーが図５に示すLens06を選択したのであれば、カメラ制御部７０はレンズプロファイルとして走査制御情報＃８〜＃１１を外部記録媒体２００から読み出して内部記録媒体３５に保存する。このように走査制御情報を登録する場合に、カメラ制御部７０と外部Ｉ／Ｆ部３０と表示部２０は走査制御情報取得手段として機能する。
【００４３】
このように本実施形態では、レンズユニットに応じた走査制御情報を外部記録媒体２００から取得して内部記録媒体３５に保存することができる。そのため、対応する走査制御情報が撮影装置１に予め登録されていない種類のレンズユニットが装着された場合にも外部記録媒体２００から当該レンズユニットに対応する走行制御情報を取得し、後述するように電荷蓄積を開始する走査を行う際に当該走査制御情報を適用することができる。その結果、撮像センサーにおいて、露光時間が位置ごとに異なることによって生じる露光ムラを抑制することができる。なお、このようにして登録したレンズプロファイルを内部記録媒体３５から削除するメニューも準備されている。
【００４４】
１−４．レンズユニットの指定
次に、使用するレンズユニットをユーザーが指定して当該レンズユニットに対応するレンズプロファイルを適用した状態で撮影を行うまでの流れについて図７の画面遷移図を参照しながら説明する。ユーザーが操作部４０を操作して使用レンズ設定メニューを表示させると、カメラ制御部７０は表示部２０に画面Ｇ２０を表示する。画面Ｇ２０〜Ｇ２３は使用するレンズユニット１０をユーザーに指定させるメニュー画面である。装着したレンズユニット１０が撮影装置１本体との通信機能を備えている場合、カメラ制御部２０はレンズユニットの種類を自動検出する。すなわちカメラ制御部７０はレンズユニット１０と通信してレンズユニット１０の属性情報を取得し、装着されているレンズユニット１０の識別情報を画面Ｇ２１のＧ２ｄに示すように表示する。そしてカメラ制御部７０は、検出されたレンズユニット１０に対応する走査制御情報を内部記録媒体３５に保存されている走査制御情報の中から選択する。なお、装着されたレンズユニットに対応するレンズプロファイルが内部記録媒体３５に保存されていない場合、その旨を伝えるアラートを表示しても良い。
【００４５】
レンズユニット１０が撮影装置１との通信機能を備えていないとカメラ制御部７０が判断した場合は、カメラ制御部７０は内部記録媒体３５に走査制御情報が保存されているレンズユニットの一覧を画面Ｇ２２のＧ２ａに示すように表示する。ユーザーが十字ボタンを操作して一覧の中から使用するレンズユニットを選択しＯＫボタンを押下して決定すると、カメラ制御部７０は画面Ｇ２３のＧ２ａのように選択されたレンズユニットの識別情報を表示し、選択されたレンズプロファイルに含まれる走査制御情報を撮影時に適用する走査制御情報として設定する。レンズユニットによっては焦点距離やその他の撮影条件の組み合わせごとに複数の走査制御情報を有している場合があるので、その場合は、焦点距離やその他の撮影条件（絞り値、フォーカス繰り出し量等）の選択肢をさらに案内してユーザーに選択させることでカメラ制御部７０はそれらの撮影条件に適した走査制御情報を設定することができる。例えば画面Ｇ２３のＧ２ｂは、焦点距離の選択肢をさらに案内することを示している。本実施形態ではこのようにしてレンズユニットの指定を受け付けることができ、カメラ制御部７０と操作部４０と表示部２０が受付手段として機能する。
【００４６】
１−５．走査制御情報に基づいた撮影
上記したように走査制御情報が設定された状態で、ユーザーが操作部４０のシャッターボタンを全押しすると、走査制御情報によって定められるタイミングにおいて露光制御部６０が撮像センサー１４の各ラインにリセット信号を出力する。リセット信号が入力されると、撮像センサー１４の対応するラインを構成する全画素において、蓄積されていた電荷が一旦全て破棄され、その後に再び電荷の蓄積が開始される。なお、レンズユニット１０が撮影装置１との通信機能を有する場合、シャッターボタンの全押しに先立ってシャッターボタンが半押しされた際に、カメラ制御部７０はレンズユニット１０と通信して撮影条件を取得するようにしてもよい。撮影条件には、レンズユニット１０におけるフォーカス繰り出し量、絞り１２の開口径、焦点距離（ズーム位置）等が含まれている。そしてカメラ制御部７０は、レンズユニット１０の撮影条件に応じた走査制御情報を自動的に選択し適用するようにしてもよい。
【００４７】
カメラ制御部７０は、撮像センサー１４上の最初のラインにリセット信号を印加したタイミング（図４Ａに示す例ではＴ１）と機械式シャッター１３の影が撮像センサー１４上の最初のラインに到達するタイミング（図４Ａに示す例ではＴ２）との間の時間がシャッター速度（秒時）に対応するように、シャッター制御部５０に対して制御信号を出力して機械式シャッター１３の移動を開始させる。カメラ制御部７０とシャッター制御部５０は撮影制御手段に相当する。機械式シャッター１３の走行開始タイミングは、シャッター速度によって、電荷の蓄積開始タイミングよりも先行する場合もあれば、電荷の蓄積開始タイミングより後になる場合もある。シャッター速度によっては機械式シャッター１３の走行開始タイミングは電荷蓄積開始タイミングより前になる場合もあるが、その場合も、各領域においては電荷蓄積が開始された後に機械式シャッター１３によって遮光されることになる。機械式シャッター１３が遮光し終えた撮像センサー１４の領域の画像データを露光制御部６０はラインごとに順に記憶部１５に読み出す。記憶部１５に読み出された画像データを画像生成部８０が取得して所定の処理を施し、外部Ｉ／Ｆ部３０に接続された外部記録媒体２００としてのメモリーカードに保存することができる。
【００４８】
このように本実施形態では、使用するレンズユニットをユーザーに指定させることができるため、例えばレンズユニット側が撮影装置１と通信する機能を備えていない場合であってもユーザーが指定したレンズユニットに対応する走査制御情報に基づいて撮影時の電荷蓄積開始タイミングを走査することができる。その結果、露光ムラを軽減できる。
なお、様々なレンズユニットに応じた走査制御情報は撮影装置１と同一機種の標準機を用いて作成される。しかし撮影装置１の個体ごとに機械式シャッター１３の走行パターンは異なりうる。そのため、標準機では最適となる走査制御情報を撮影装置１にそのまま適用しても露光ムラを十分に軽減できない可能性がある。そこで、例えば撮影装置１の出荷前に、標準機においてある特定のレンズユニットを用いて撮影した場合の遮光領域の先頭の走行パターンt=f0(y)と、撮影装置１において当該特定のレンズユニットを用いて撮影した場合の遮光領域の先頭の走行パターンt=f1(y)と、を測定しておき、走行パターンf0，f1を撮影装置１に保存しておくようにしてもよい。ここでｙは機械式シャッターの移動方向における位置を示しｔは時間を示している。そして、ユーザーが使用するレンズユニットに対応する走査制御情報が示す走査パターンであって標準機を用いて作成された走査パターンt=f2(y)を撮影装置１に適用する際に、保存されている走行パターンf0，f1に基づいて走査パターンf2を補正し、補正後の走査パターンf2'を用いて撮影装置１において電荷蓄積開始の走査の制御を行うようにしてもよい。具体的には例えば、撮像センサーの位置ごとの走行パターンf0における時間と走行パターンf1における時間との比が、撮像センサーの位置ごとの補正前の走査パターンf2における時間と補正後の走査パターンf2'における時間との比と等しくなるように、次式で補正後の走査パターンf2'を算出するようにしてもよい。f2'(y)={f1(y)/f0(y)}・f2(y)
【００４９】
２．第二実施形態
第二実施形態が第一実施形態と相違する点は、走査制御情報がレンズユニットごとではなく、図８Ａに示すようにレンズユニットのマウント名と焦点距離の組み合わせごとに定義されている点である。本実施形態では、撮影装置１のマウントに様々な種類のマウントのレンズユニットであって様々な焦点距離のレンズユニットを取り付けた場合に、レンズユニットのマウントの種類と焦点距離との組み合わせごとに撮影装置１における最適な走査制御情報が定義されている。撮影装置１のマウント１００にレンズユニット１０を装着する場合、焦点距離が同じであっても、レンズの構成により射出瞳距離は異なる可能性があるため、マウントの種類が異なると射出瞳距離は異なる可能性がある。そのため、第二実施形態ではレンズユニットのマウントの種類と焦点距離との組み合わせごとに、撮影装置１に当該レンズユニットを装着して撮影する場合の最適な走行制御情報を定義しておき、ユーザーには当該組み合わせを選択させる。
ユーザーが所有する撮影装置専用ではないレンズユニット（通常レンズマウントの形状が異なる）について、レンズユニットと撮影装置とを接続可能にするレンズマウント変換アダプターが市販されている。このアダプターを用いて他の撮影装置専用のレンズユニットを使用して撮影を楽しむユーザーが多い。このようなことが可能な理由は、（１）レンズのイメージサークルが撮影装置の撮像センサーを充分カバーする大きさを有していること、（２）アダプターを装着することで光学的にレンズの焦点距離位置を適切に補正し、撮像センサー面に被写体像を適切に結像させること可能になること、の２項目が満たされるためである。この結果，異なるレンズマウントのレンズでしかも焦点距離の異なるレンズを多数使用することが可能になる。このような状況にあって、アダプターを接続することで撮影装置に装着して使用可能になるレンズは数百種類に及ぶことになる。一般にユーザーは、一つの撮影装置に対し複数の異なるマウントのレンズを使う習慣が希薄である。そのためユーザーにレンズを指定させる場合は、まずレンズマウントを選択させて、次にレンズの焦点距離を選択させる方が、例えば射出瞳距離をユーザーに指定させる場合と比較してユーザーにとって利便性が高く、膨大なプロファイルの中から所望のレンズを指定させる方法としてより適切な方法であると言える。
【００５０】
また、一般的には焦点距離が長いほど射出瞳距離も長くなる傾向にあり、焦点距離が短いほど射出瞳距離も短くなる傾向にある。射出瞳距離が長いほど、機械式シャッター１３自体の先端の走行パターン１３１と遮光領域ｃの先端の走行パターン１３２とのずれは小さくなる（図４Ａ，図４Ｂ参照）。逆に、射出瞳距離が短いほど、当該ずれは大きくなる。そのため第二実施形態では、焦点距離が短いほど小さい単位で走査制御情報を定義し、焦点距離が長いほど大きい単位で走査制御情報を定義する。なお、焦点距離によらず全て同じ単位で走査制御情報を定義してもよい。
【００５１】
本実施形態では、図８Ａに示すように、焦点距離が５ｍｍ〜１００ｍｍの間は１ｍｍ刻みでマウントごとに走査制御情報を定義し、１００ｍｍ〜２００ｍｍの間は５ｍｍ刻みでマウントごとに走査制御情報を定義し、２００ｍｍを超えると５０ｍｍ刻みでマウントごとに走査制御情報を定義する。そして第一実施形態と同様に例えばインターネット上のサーバーにおいてダウンロード可能に公開することにより、ユーザーが所望のマウントと焦点距離との組み合わせに対応する走査制御情報をダウンロードすることができる。そしてユーザーは外部記録媒体２００にダウンロードした走査制御情報を保存し、撮影装置１の内部記録媒体３５に読み込ませることができる。
【００５２】
マウントと焦点距離との組み合わせに応じた走査制御情報を内部記録媒体３５に保存した後、ユーザーが操作部４０を走査してレンズプロファイル候補選択メニューを表示させる指示を与えると、カメラ制御部７０は図９の画面Ｇ３０を表示する。画面Ｇ３０はレンズマウントとレンズの焦点距離を選択させる画面である。デフォルトの動作として自動検出が試みられる。レンズユニット１０側が撮影装置１との通信機能を備えている場合、カメラ制御部７０はレンズユニット１０からレンズユニットの属性情報を取得する。レンズユニットの属性情報には、マウント名と焦点距離とが含まれる。カメラ制御部７０はマウント名と焦点距離とを取得すると、取得したマウント名と焦点距離との組み合わせに対応する走査制御情報が内部記録媒体３５に保存されているか否かを判断する。カメラ制御部７０は、当該走査制御情報が内部記録媒体３５に保存されていると判断した場合は対応する走査制御情報を選択し、画面Ｇ３１のＧ３ａ、Ｇ３ｂ、Ｇ３ｃに示すようにマウント名と焦点距離とともに選択された走査制御情報の識別情報を表示する。画面Ｇ３１が表示されている状態でユーザーがＯＫボタンを押下するとカメラ制御部７０は次回の撮影時に適用する走査制御情報として選択された走査制御情報を設定する。
【００５３】
レンズユニット１０が撮影装置１との通信機能を備えていないとカメラ制御部７０が判断した場合、カメラ制御部７０は画面Ｇ３２および画面Ｇ３３を表示してユーザーに手動でマウント名と焦点距離とを選択させる。ユーザーは十字ボタンやＯＫボタンを押下してマウント名と焦点距離を選択し決定することができる。このときカメラ制御部７０は、焦点距離の選択肢を、焦点距離が短いほど小さい単位で選択可能に案内する。具体的には本実施形態においては、５〜１００ｍｍの間は画面Ｇ３３のＧ３ｂに示すように１ｍｍ刻みで選択可能に案内し、１００〜２００ｍｍの間は５ｍｍ刻みで選択可能に案内し、２００ｍｍを超える焦点距離は５０ｍｍ刻みで選択可能に案内する。焦点距離が短い場合は長い場合よりも撮像センサーの位置ごとの露光時間の誤差が大きくなる傾向にある。そのため、焦点距離が基準となる距離以下の場合は、当該距離よりも大きい場合よりも小さい単位で選択可能に案内することにより、各焦点距離に対応したより適切な走査制御情報を適用して電荷蓄積開始の走査を行うことができる。
【００５４】
ここで、内部記録媒体３５に保存されている走査制御情報が図８Ｂに示す一覧であるとする。そしてユーザーが画面Ｇ３２および画面Ｇ３３で、マウント名としてマウントＢを選択し焦点距離として３５ｍｍを選択したとする。マウントＢの焦点距離３５ｍｍの組み合わせに対応する走査制御情報は図８Ｂに示すように内部記録媒体３５に保存されていないため、内部記録媒体３５に保存されているマウントＢに対応する走査制御情報のうち焦点距離が３５ｍｍに近い走査制御情報を候補として画面Ｇ３４に示すように表示する。焦点距離が最も近いものを一つだけ表示してもよいし、ユーザーが指定した焦点距離から所定距離以内にあるものが複数存在する場合は、画面Ｇ３４のＧ３ｃに示すように複数の候補を提示してもよい。ユーザーが指定した焦点距離に近い順に所定個の走査制御情報を提示してもよい。ユーザーが提示された候補の中から十字ボタンを操作して所望の走査制御情報を選択しＯＫボタンを押下すると、ユーザーが指定した走査制御情報をカメラ制御部７０は撮影時に適用する走査制御情報として設定する。マウント名と焦点距離の組み合わせに対応する走査制御情報が内部記録媒体３５に保存されていない場合に、焦点距離が同じであっても異なるマウントのレンズユニットに対応する走査制御情報が適用される場合や、同じマウントであってもユーザーが選択した焦点距離と所定量を超えて大きく異なる焦点距離のレンズユニットに対応する走査制御情報が適用される場合と比較すると、本実施形態ではより適した走査制御情報を適用して撮影を行うことができる。
【００５５】
このように、マウント名と焦点距離の組み合わせごとに走査制御情報を定義しておき、ユーザーからは当該組み合わせを指定させることで、当該組み合わせに適した走査制御情報を選択し撮影時に適用することができる。レンズユニットを撮影装置のマウントに装着した状態における射出瞳距離をユーザーは容易に知ることはできないが、レンズユニットのマウント名と焦点距離であればユーザーが容易に知りうる情報であるため、これらの組み合わせをユーザーに指定させることは射出瞳距離をユーザーに指定させることより容易である。なお、レンズユニットのマウント名と焦点距離に加えてさらに、機械式シャッター１３による遮光領域ｃの走行パターンを変化させる他の要因（絞り１２の開口径やフォーカス繰り出し量等）との組み合わせに応じて走査制御情報が定義されていてもよく、ユーザーにはそれらの組み合わせを指定させることができてもよい。そしてそれらの組み合わせに応じた走査制御情報を適用して撮影を行うことができてもよい。
【００５６】
３．第三実施形態
本実施形態が第一実施形態および第二実施形態と相違する点は、装着されたレンズユニットに応じた走査制御情報を選択する手法である。本実施形態では、内部記録媒体３５に保存されている複数の走査制御情報を適用して複数回撮影を行い、撮影の結果得られた複数の画像データのうち露光ムラが最も少なく撮影できた画像を選択する。そしてその画像を撮影する際に用いた走査制御情報を次回の撮影時に適用する走査制御情報として選択する。
【００５７】
そのためにまず、カメラ制御部７０は図１０に示す画面Ｇ４０を表示する。画面Ｇ４０は、レンズユニットを装着してシートを撮影する準備を行うことをユーザーに促し、準備完了後にＯＫボタンを押下することを案内する画面である。ユーザーは、例えば図１１Ａに示すように、撮影装置１を三脚に固定し、壁などに固定されたシートＳを撮影範囲の全体に含むように撮影装置１の撮影範囲を調整した後、ＯＫボタンを押下する。なお、シートＳは表面が無地のシートであり、表面からの反射光の輝度分布がほぼ均一な状態でレンズユニットに反射光が入射するように照明等が調整される必要がある。画面Ｇ４０が表示された状態でＯＫボタンが押下されたことを検出するとカメラ制御部７０は画面Ｇ４１を表示し、内部記録媒体３５に保存されている各走査制御情報を順に適用して連写を行った後、選定処理を行う。画面Ｇ４１は連写とその後の選定処理の進捗状況を案内する画面である。なお、連写撮影の際に適用されるシャッター速度は撮影装置１の最高シャッター速度（もしくは最高シャッター速度に近い高速秒時のシャッター速度の秒時）である。シャッター速度が高速の場合により露光ムラが顕著になるためである（撮像センサー１４の位置ごとの露光時間の誤差が露光時間全体に対して占める割合が大きくなるため）。
【００５８】
カメラ制御部７０は、複数の画像データのそれぞれにおいて、機械式シャッターの走行方向（＝電荷蓄積開始の走査方向）と直交する方向における中央部であって、機械式シャッターの走行方向における各位置の輝度値を取得する。図１１Ｂ、図１１Ｃ、図１１Ｄは、機械式シャッターの走行方向における位置ごとの輝度値を示す図である。図１１Ｂは、機械式シャッターの走行方向における画像の中央部が最も輝度値が高く（すなわち明るく）、機械式シャッターの走行方向における両端部に向かうほど輝度値が低い（すなわち暗い）ことを示している。図１１Ｃは、機械式シャッターの走行方向における画像の上部（撮像センサー１４の下部）が最も輝度値が高く、下部（撮像センサー１４の上部）に向かうほど輝度値が低いことを示している。図１１Ｄは、機械式シャッターの走行方向における画像の下部（撮像センサー１４の上部）が最も輝度値が高く、上部（撮像センサー１４の下部）に向かうほど輝度値が低いことを示している。
【００５９】
図１１Ｂに示すように機械式シャッターの走行方向における中央部を基準にして端部に向かうほど輝度値が対称に低くなっていく画像が、機械式シャッターの走行方向における各領域の露光時間がほぼ一定の状態で撮影できたことを示している。なお、中央部を基準にして端部に向かって輝度値が低下するのは、レンズの特性によりレンズユニットの光軸を中心に同心円状に光量が低下するためである。輝度値の分布が図１１Ｃに示す状態の場合、レンズユニットの特性により端部の光量が低下するために輝度値が低下することを上回る程度に画像の上部領域が下部領域と比較して露光時間が長いために上部領域の輝度値が高くなっていることを示している。輝度値の分布が図１１Ｄに示す状態の場合、レンズユニットの特性により端部の光量が低下するために輝度値が低下することを上回る程度に画像の下部領域が上部領域と比較して露光時間が長いために下部領域の輝度値が高くなっていることを示している。
【００６０】
カメラ制御部７０は各画像データに基づいて、中央部を基準にして機械式シャッターの走行方向における位置ごとの輝度値が最も対称に近い画像を撮影した際に適用された走査制御情報を選定する。この場合にカメラ制御部７０は選定手段として機能する。そしてカメラ制御部７０は、選定した走査制御情報の識別情報を図１０の画面Ｇ４２に示すように案内する。画面Ｇ４２が表示された状態でユーザーがＯＫボタンを押下すると、次回の撮影時に適用する走査制御情報としてカメラ制御部７０は設定する。
【００６１】
このように、本実施形態では、内部記録媒体３５内に保存されている走査制御情報のうち装着されているレンズユニットに最適な走査制御情報を撮影装置１に自動的に選定させることができる。このため、第一実施形態や第二実施形態のようにユーザーが手動でレンズユニット１０に最適な走査制御情報を選択する必要がない。また機械式シャッター１３の走行特性が経時変化した場合も、常に適する走査制御情報を選定することができるため、有益である。
【００６２】
４．他の実施形態
尚、本発明の技術的範囲は、上述した実施例に限定されるものではなく、本発明の要旨を逸脱しない範囲内において種々変更を加え得ることは勿論である。例えば、上記実施形態においては、シャッター速度の値や焦点距離の値にかかわらず常に最適な走査制御情報がプロファイルが適用される構成を説明したが、例えばシャッター速度が所定以上に高速の場合の撮影時にのみ、レンズユニット１０に応じた走査制御情報が適用されてもよい。また、焦点距離が所定値以下に短いレンズユニット１０を用いた撮影時にのみレンズユニット１０に応じた走査制御情報が適用されてもよい。シャッター速度が低速の場合は、撮像センサー１４の位置ごとの露光時間の誤差が露光時間全体に対して占める割合が小さくなるので露光ムラの発生が目立たなくなるためである。また、レンズユニット１０の焦点距離が所定値より長い場合は、撮像センサー１４の位置ごとの露光時間の誤差が少なくなるため、露光ムラの発生が目立たなくなるためである。
【００６３】
また、内部記録媒体３５に保存できる走査制御情報の個数は有限であるので、保存する走査制御情報の管理方法を工夫する必要がある。例えば第一実施形態ではレンズユニットの種類ごとに別々に走査制御情報を保存しているが、異なる種類のレンズユニットであっても走査制御情報の内容が近いもの同士は同じ走査制御情報を共有するようにしてもよい。実体として１つの走査制御情報を異なる複数のレンズユニットの走査制御情報として共有することにより、内部記録媒体３５の使用量を節約できる。レンズユニットの識別情報と、当該レンズユニットの識別情報に対応する共有の走査制御情報との対応付けをテーブルで管理しておくことにより、共有化が実現である。例えば新規に走査制御情報を登録する際に、内部記録媒体３５に保存されている走査制御情報をスキャンし新規登録する走査制御情報の内容とある程度同じであれば上記のように共有化するようにしてもよい。
【００６４】
また、上記実施形態では撮影装置としてミラーレスデジタルカメラを例に用いて説明したが、本発明はミラーレスデジタルカメラへの適用に限定されるものではない。レンズ交換式の従来の一眼レフカメラにももちろん本発明を適用可能である。
【符号の説明】
【００６５】
１…撮影装置、１０…レンズユニット、１１…レンズ、１３…機械式シャッター、１４…撮像センサー、１５…記憶部、２０…表示部、３０…外部Ｉ／Ｆ部、３５…内部記録媒体、４０…操作部、４３…フォーカス制御部、４５…絞り調整部、５０…シャッター制御部、６０…露光制御部、８０…画像生成部、１００…マウント、２００…外部記録媒体
【図１】
2014160897.tif 000003
【図２】
2014160897.tif 000004
【図３】
2014160897.tif 000005
【図４】
2014160897.tif 000006
【図５】
2014160897.tif 000007
【図６】
2014160897.tif 000008
【図７】
2014160897.tif 000009
【図８】
2014160897.tif 000010
【図９】
2014160897.tif 000011
【図１０】
2014160897.tif 000012
【図１１】
2014160897.tif 000013